(57)【特許請求の範囲】
【請求項１】
閉位置と開位置との間で互いに対して移動可能な第１の内側部分及び第２の外側部分を含む消費財のための容器であって、前記容器は、
一連の異なる像を含む印刷されたデザイン要素が適用される、前記内側部分上の第１の表面と、
少なくとも一部が０．１ｍｍから１ｍｍまでの切断幅を有する１つ又はそれ以上の切り抜き部から形成された微細切断要素を含む、前記第２の部分上の第２の表面と、
をさらに含み、
前記第１の表面及び第２の表面は、前記容器の前記内側部分及び前記外側部分が、前記閉位置と前記開位置との間で移動されるときに、前記微細切断要素が前記印刷されたデザイン要素の上を移動し、これにより、前記微細切断要素が前記印刷されたデザイン要素に対して移動するにつれて、前記印刷されたデザイン要素の動画像が前記微細切断要素の前記切り抜き部を通して見えるように配置され、
前記容器は１００グラム毎平方メートルから３５０グラム毎平方メートルまでの重さを有するボール紙から形成されることを特徴とする容器。
【請求項２】
前記容器の前記閉位置においては、前記印刷されたデザイン要素が覆われ、前記微細切断要素は前記印刷されたデザイン要素の上に重ならず、前記開位置においては、前記印刷されたデザイン要素は前記微細切断要素の前記切り抜き部を通して少なくとも部分的に見えることを特徴とする、請求項１に記載の容器。
【請求項３】
前記印刷されたデザイン要素はモアレ・パターンを含み、前記微細切断要素が前記印刷されたデザイン要素の上を移動するとき、変化する干渉パターンが、前記微細切断要素内の前記切り抜き部を通して見えることを特徴とする、請求項１〜請求項２のいずれかに記載の容器。
【請求項４】
前記モアレ・パターンは像を組み込み、前記微細切断要素が前記印刷されたデザイン要素の上を移動するにつれて、前記像が動くように見えることを特徴とする、請求項３に記載の容器。
【請求項５】
前記第１の部分及び前記第２の部分は、前記閉位置と前記開位置との間で互いに対して摺動可能に移動できることを特徴とする、請求項１〜請求項４のいずれかに記載の容器。
【請求項６】
前記第１の部分及び前記第２の部分は、前記閉位置と前記開位置との間で互いに対してピボット運動可能であることを特徴とする、請求項１〜請求項４のいずれかに記載の容器。
【請求項７】
請求項１に記載の容器を形成するための層状ボール紙ブランクであって、
印刷されたデザイン要素が外面に適用された第１のパネルを含む、スライド画定部分と、
前記スライド画定部分に接続され、かつ、微細切断要素を有する第２のパネルを含む、
シェル画定部分と、
を含むことを特徴とするボール紙層状ブランク。
【発明の詳細な説明】
【技術分野】
【０００１】
本発明は、容器を開閉する際にデザイン要素と相互作用する微細切断要素（ｆｉｎｅ  ｃｕｔ  ｅｌｅｍｅｎｔ）を有する新規な容器に関する。本発明の容器は、例えば、シガレットのような細長い喫煙物品などの消費財のための容器として特定の用途を見出す。
【背景技術】
【０００２】
食品、化粧品及びタバコ製品等の消費財を、折り畳まれたブランクから形成された容器内に包装することは周知である。このような容器を構成するためのブランクは、典型的には、シート材料から形成され、容器の壁を形成するための２次元構成の接続パネルを提供する。ブランクの隣接したパネルは、シート材料の折り線（ｃｒｅａｓｅ）又は切り込み線（ｓｃｏｒｅ  ｌｉｎｅ）が形成するヒンジ線に沿って互いに接続される。容器は、ヒンジ線に沿ってブランクを折り畳み、３次元形状の容器を形成し、適切な接着剤又はシールを用いて組み立てられた形状を保持することによって組み立てられる。
【０００３】
シガレット又はシガーのような細長い喫煙物品は、一般に、折り畳まれた層状ブランクから作製されたヒンジ蓋容器で販売される。ヒンジ式蓋容器は、喫煙物品を収納するための箱部分と、容器の後壁にわたって延びるヒンジ線の周りに箱部分に接続された蓋部分とを有する。そうした容器は、典型的には、一体型の層状厚紙ブランクから構成される。使用の際、蓋部分をピボット運動させて容器を開け、箱部分内に収納された喫煙物品にアクセスする。
外側シェル又はスリーブと、消費財が収納され、外側シェル内で摺動可能な内側スライド又はトレイとを含む容器内に消費財を包装することも周知である。
【０００４】
典型的には、例えば、製品及び製造業者に関する情報などの情報を消費者に伝えるために、典型的には、グラフィックス及びテキストが、消費財のための包装の外部に適用される。視覚的に魅力ある製品を提供するために、一般的に、グラフィック・デザイン及びパターンも、消費財のための包装の表面に適用される。
【発明の概要】
【発明が解決しようとする課題】
【０００５】
情報又はグラフィックスを消費者に視覚的に提示するための新規な方法を提供する、消費財のための容器をさらに提供することが望ましい。容器の開閉時に、消費者に視覚的効果を与える新規な方法を提供する、消費財のための容器を提供することが特に望ましい。そうした効果は、消費財、特に日用消費財（ｆａｓｔ  ｍｏｖｉｎｇ  ｃｏｎｓｕｍｅｒ  ｇｏｏｄｓ）を含むもののための標準的な容器のデザイン又は消費財のための標準的な容器の製造を著しく変更する必要なく達成できる場合には特に望ましい。
【課題を解決するための手段】
【０００６】
本発明によると、閉位置と開位置との間で互いに対して移動可能である、第１の内側部分及び第２の外側部分を含む消費財のための容器が提供され、この容器は、印刷されたデザイン要素がその区域に適用される、内側部分上の第１の表面と、０．０１ｍｍから３ｍｍまでの最小切断幅を有する１つ又はそれ以上の切り抜き部から形成された微細切断要素を含む、第２の部分上の第２の表面とをさらに含む。第１の表面及び第２の表面は、容器の内側部分及び外側部分が閉位置と開位置との間で移動されるときに、微細切断要素が印刷されたデザイン要素の上を移動し、これにより、印刷されたデザイン要素の像が、微細切断要素の切り抜き部を通して見えるように配置され、この像は、微細切断要素が印刷されたデザイン要素に対して移動するにつれて視覚的に変化する。印刷されたデザイン要素は、微細切断要素が印刷されたデザイン要素の上を移動するにつれて動画像が見えるように、一連の異なる像を含む。
【０００７】
本発明による容器は、容器の開閉時に新しい視覚的効果をもたらすように、容器上の印刷されたデザイン要素と相互作用する微細切断要素を含む。「微細切断要素」という用語は、微細切断技術を用いて提供される第２の表面上の切断部又は切り抜き部のデザインを指す。切断部又は切り抜き部は、第２の表面における材料を除去することによってもたらされる。
【０００８】
本発明による容器において、第２の表面が第１の表面の上に重なったときに、切り抜き部を通してデザイン要素が視認可能であることが必要なので、微細切断要素の切り抜き部は、第２の部分を形成する材料を貫通して延びる。
【０００９】
本発明の容器の微細切断要素は、標準的な打抜きのような従来の切断技術を用いて可能なものより著しく狭い切断幅を有する切り抜き部の形成を可能にする微細切断技術を用いて、第２の表面上に形成される。さらに、微細切断技術は、切り抜き部の形状における角度又は湾曲の制限が少ないので、より複雑なパターン及び形状の形成を可能にする。切り抜き部間の隙間又は離隔距離を有利に最小することもできる。例えば、レーザ切断技術を用いて切り抜き部を形成する場合、隙間は１００マイクロメートル未満とすることができ、又は場合によっては、２５マイクロメートル未満、又は約１０マイクロメートルにすることもできる。ナイフ又はブレードを用いて切り抜き部を形成する場合、最小の隙間は、２ｍｍ未満であることが好ましく、１．５ｍｍ未満であることがより好ましく、約１．１ｍｍであることがより好ましい。
【００１０】
標準的な打抜き技術とは異なり、微細切断技術が用いられるときには、切断後に、シート材料上に残余物が存在しない。切り抜き部の縁部は鋭利かつ精密であり、従って、切り抜き部は、消費者により高品質なものとして認識される。
【００１１】
微細切断要素の「切断幅」は、所与の方向における、１つ又はそれ以上の切り抜き部の内のり幅又は寸法である。一方向においては、１つ又はそれ以上の切り抜き部の少なくとも一部の切断幅は、０．０１ｍｍから３ｍｍまでである。全ての他の方向においては、切断幅は、この範囲内としてもよく、又はより広くしてもよい。これは、その最も狭い部分において、各切り抜き部は、０．０１ｍｍから３ｍｍまでの少なくとも１つの寸法を有することを意味する。１つ又はそれ以上の切り抜き部の少なくとも一部は、好ましくは０．０５ｍｍから３ｍｍまで、より好ましくは０．１ｍｍから２ｍｍまで、より好ましくは０．５ｍｍから２ｍｍまで、より好ましくは０．５ｍｍから１ｍｍまで、より好ましくは０．７ｍｍから１ｍｍまでの間の切断幅を有する。
【００１２】
１つ又はそれ以上の切り抜き部の少なくとも一部の切断幅は、０．０１ｍｍから３ｍｍまでの範囲に入る切断幅を有する必要がある。場合によっては、切り抜き部全体は、この範囲を有する少なくとも１つの寸法を有する。他の場合には、１つ又はそれ以上の切り抜き部の他の部分は、３ｍｍを上回ってもよい。微細切断要素の最大切断幅、即ち、最大幅の地点における１つ又はそれ以上の切り抜き部の切断幅は、好ましくは１ｍｍから１０ｍｍまで、より好ましくは１ｍｍから５ｍｍまで、より好ましくは１ｍｍから３ｍｍまでである。
【００１３】
微細切断要素内の各切り抜き部の切断幅は、異なる位置によって、特に微細切断要素の形状が比較的複雑である場合に変化し得る。切り抜き部は、直線部分、曲線部分、波線部分、規則的及び不規則な形状の部分、又はこれらのいずれかの組み合わせを含むことができる。必要に応じて、切り抜き部は、パターン又は像を形成することができる。
【００１４】
標準的な打抜き手順のような従来の切断技術を用いた場合、典型的に達成可能である最小切断幅は、約５ｍｍから８ｍｍまでである。従って、本発明による容器に対する微細切断法の使用により、非常に細かく、かつ、より複雑に成形された切り抜き部を、第２の表面上の微細切断要素内に含ませることが可能になる。これにより、デザイン要素と微細切断要素との間のより複雑で効果的な相互作用が可能になる。
【００１５】
本発明による容器の微細切断要素は、任意の適切な手段を用いて、第２の表面上に形成することができる。微細切断要素は、高レベルの精度を達成できるように、レーザ切断であることが好ましい。レーザ切断の使用は、例えば０．１ｍｍ未満の切断幅などの狭い切断幅を有する切り抜き部を生成するのに特に有利である。微細切断用途に好適なレーザ・システムは、Ｎｄ：ＹＡＧレーザ、ディスク・レーザ、光ファイバ・レーザ及びＣＯ2レーザを含む（照明を除く）。Ｎｄ：ＹＡＧ、ディスク及び光ファイバ・レーザの波長は、１０３０ｎｍから１０９０ｎｍまでの間であることが好ましい。ＣＯ2レーザの波長は、約１０．６マイクロメートルであることが好ましい。これらの波長における最大レーザ出力は、約５００ワットであることが好ましい。レーザは、Ｌａｓｅｒｍａｔｉｃ（登録商標）Ｚシステムのような距離センサと併せて用いられることが好ましい。切断は、市販の内蔵カメラ及び照明システムを用いて監視することができる。
【００１６】
代替的には、微細切断要素は、ナイフ又はブレードの構成を用いて、第２の表面上に形成することができる。例えば、ブレード又は切断ミルの回転システムを用いて、連続するシート材料に微細切断を行うことができる。切断ストロークを最大にし、適合されたスクリーン挿入を用いることにより、このような複数ナイフのシステムを用いて、非常に微細な切断を達成することができる。ナイフ又はブレードを用いて微細切断要素を形成する場合、切断幅は、好ましくは０．５ｍｍから３ｍｍまで、より好ましくは１ｍｍから３ｍｍまでである。
【００１７】
微細切断要素を形成するための更に別の好適なタイプのシステムは、成形されたナイフ、ブレード、又は打抜型のような定規を用いて、固定片のシート材料から形状を打ち抜く平台型打ち抜きシステムである。このタイプのシステムは、比較的厚い材料の切断に有用であり得る。平台型打抜機は、クリック・プレスとしても知られている。
【００１８】
本発明に関して、「印刷されたデザイン要素」という用語は、容器の第１の内側部分の第１の表面上に印刷され、デザイン要素の上での微細切断要素の移動によりデザイン要素の動画像が生成されるように適合された、一連の異なる像を含むいずれかのパターン、デザイン、又は印を指す。従って、消費者は、容器が開閉されるときに、容器上の独特な動画効果を観察することができる。デザイン要素は、消費者に情報を提供するために使用することができ、又は容器の装飾的特徴部とすることができ、又はその両方とすることができる。印刷されたデザイン要素は、既知の印刷技術を用いて、内側部分の表面上に印刷することができる。
【００１９】
微細切断要素と印刷されたデザイン要素との相互作用は、容器の開閉中に消費者によって観察される、独特な光学効果又は視覚効果を発生させる。発生する視覚的効果は、印刷されたデザイン要素を変えることによって、又は微細切断要素内の切り抜き部の形態を変えることによって、又はその両方によって、変化し得る。
【００２０】
本発明による容器において、微細切断要素が第１の表面の上に重なるとき、第１の表面上の印刷されたデザイン要素は、消費者に少なくとも部分的に見える。この構成は、消費者に視認可能な容器の全表面積を有利に増加させ、従って、この構成を用いて、容器が開けられたときに、付加的な像又は情報を提示又は伝達することができる。
【００２１】
好ましくは、本発明による容器の閉位置においては、印刷されたデザイン要素は覆われており、微細切断要素は、印刷されたデザイン要素の上に重ならず、一方、開位置においては、印刷されたデザイン要素は、微細切断要素の切り抜き部を通して、少なくとも部分的に視認可能である。従って、印刷されたデザイン要素は、容器が開いているときにのみ、消費者に明らかになる。
【００２２】
本発明の特定の実施形態においては、微細切断要素とデザイン要素との重ね合わせから生成される干渉パターンを変更する結果として、微細切断要素が印刷されたデザイン要素の上を移動するときに、モアレ・パターンが生成される。微細切断要素は、好ましくは、あるタイプの格子を形成する複数の切り抜き部を含み、これは、第１の表面上の格子パターンの上を移動し、パターン間の干渉の結果として、変化する光学効果をもたらす。モアレ・パターンは、図形又は波状パターンの形態とすることができる。代替的に、特定の実施形態においては、デザイン要素は、例えば、物体又は動物の像を組み込み、像の上の微細切断要素のモアレ効果は、動画の錯覚を作り出す。
【００２３】
本発明による容器の第１の内側部分及び第２の外側部分は、別個の層状ブランクから形成することができる。内側部分及び外側部分は、容器の組み立て中にデザイン要素と微細切断要素との位置合わせが容易になるように、単一の層状ブランクから形成されることが好ましい。特定の場合においては、消費財を取り出すために容器を開けることができる前に、消費者が、内側部分を外側部分から分離することが必要な場合もある。いずれにしても、従来の技術及び装置を用いて、１又は複数の層状ブランクを有利に組み立て、充填することができる。
【００２４】
本発明によると、印刷されたデザイン要素がそこに適用された第１の表面を含む内側スライド画定部分と、内側スライド画定部分に接続され、かつ、微細切断要素を有する第２のパネルを含む外側シェル画定部分とを含む、本発明による容器を形成するための層状ブランクが提供される。
【００２５】
本発明は、容器が開閉されるときに互いに対して移動し、それらの部分が互いに対して移動するときに互いの上に移動する少なくとも一対の接触面を有する、２つの部分から形成されるいずれの容器においても用途を見出す。
【００２６】
特定の実施形態においては、第１の部分及び第２の部分は、閉位置と開位置との間で、互いに対して回転可能又はピボット運動可能であり得る。代替的な実施形態においては、第１の部分及び第２の部分は、閉位置と開位置との間で互いに対して摺動可能に移動することができる。
【００２７】
本発明による容器は、消費財を収納するための内側スライドと、閉位置と開位置との間で内側スライドに対して移動するように、該内側スライドの周りに取り付けられた外側シェルとを含む、スライド及びシェル型容器の形態とすることができる。こうした容器において、第１の表面は、内側スライドの壁の外面上に設けられ、微細切断要素は、外側シェルの上を覆う壁上に設けられる。
【００２８】
本発明による幾つかのスライド及びシェル型容器においては、内側スライドは、外側シェルの上部若しくは底部から、又は、外側シェルの一方の側から、外側シェル内へ及び外側シェルから外へ、直線的に摺動可能である。従って、開位置に動かすために、内側スライドは、典型的には、外側シェルの一方向に動かされて、消費財を取り出すことができる内側スライドの開口部を露出させる。本発明による他のスライド及びシェル型容器においては、内側スライドは、外側シェルの自由縁に沿って設けられたヒンジ線に対して、外側シェル内へ及び外側シェルから外へピボット運動可能である。従って、開位置に動かすためには、内側スライドを回転させて、内側スライドの少なくとも一部を外側シェルから外に動かし、消費財を取り出すことができる開口部を露出させる。幾つかの実施形態においては、内側スライドを外側シェルから開位置に動かすときに、内側スライドが開くことができる、１つ又はそれ以上のヒンジ蓋を含むことができる。
【００２９】
本発明による容器は、代替的には、消費財を収納するための箱と、容器の壁にわたって延びるヒンジ線に沿って箱に接続され、かつ、閉位置と開位置との間でヒンジ線に対してピボット運動可能なヒンジ蓋と、箱の内部に取り付けられ、かつ、箱の自由縁を超えて延びる突出部分を有する内側フレームとを含む、ヒンジ蓋容器とすることができる。ヒンジ蓋は、閉位置と開位置との間で、内側フレームに対してピボット運動可能である。本発明によるこうしたスライド及びシェル型容器において、第１の表面は、内側フレームの壁の外面上に設けられ、微細切断要素は、外側シェルの上を覆う壁上に設けられる。
【００３０】
本発明による容器は、これらに限定されるものではないが、厚紙、板紙、プラスチック、又はそれらの組み合わせを含む、いずれかの適切な材料から形成することができる。容器は、１つ又はそれ以上の折り畳まれた層状ボール紙ブランクから形成されることが好ましく、厚紙は、約１００グラム毎平方メートルから約３５０グラム毎平方メートルまでの重さを有することが好ましい。
【００３１】
本発明による容器は、直角の長手方向縁部及び直角の横方断向縁部を有する矩形の平行六面体の形状とすることができる。代替的に、容器は、１つ又はそれ以上の角丸の（ｒｏｕｎｄ）長手方向縁部、角丸の横断方向縁部、面取りした（ｂｅｖｅｌｅｄ）長手方向縁部若しくは面取りした横断方向縁部、又はこれらの組み合わせを含むことができる。例えば、本発明による容器は、制限なく、
前壁上の１つ又は２つの長手方向の角丸の若しくは面取りした縁部、及び／又は、後壁上の１つ又は２つの長手方向の角丸の若しくは面取りした縁部、
前壁上の１つ又は２つの横断方向の角丸の若しくは面取りした縁部、及び／又は、後壁上の１つ又は２つの横断方向の角丸の若しくは面取りした縁部、
前壁上の１つの長手方向の角丸の縁部及び１つの長手方向の面取りした縁部、及び／又は、後壁上の１つの横断方向の角丸の縁部及び１つの横断方向の面取りした縁部、
前壁上の１つ又は２つの横方向の角丸の又は面取りした端部、及び前壁上の１つ又は２つの長手方向の角丸の又は面取りした端部、
第１の側壁上の２つの長手方向の角丸の若しくは面取りした縁部、又は第２の側壁上の２つの横断方向の角丸の若しくは面取りした縁部、
を含むことができる。
【００３２】
容器が１つ又はそれ以上の角丸の端部を含み、且つ、１つ又はそれ以上の積層ブランクから作製される場合、ブランクは、組み立てられた容器内に各々の角丸の端部を形成するために、３つ、４つ、５つ、６つ又は７つの切り込み線又は折り線を含むことが好ましい。これらの切り込み線又は折り線は、容器の内側上又は容器の外側上に存在し得る。切り込み線又は折り線は、約０．３ｍｍ乃至４ｍｍだけ互いから間隔を空けて配置されることが好ましい。
【００３３】
折り線又は切り込み線の間隔は、積層ブランクの厚さの関数であることが好ましい。折り線又は切り込み線の間の間隔は、積層ブランクの厚さよりも約０．５乃至約４倍広いことが好ましい。
【００３４】
容器が１つ又はそれ以上の面取りした縁部を含む場合、面取りした縁部は、好ましくは約１ｍｍから約１０ｍｍまでの間、好ましくは約２ｍｍから約６ｍｍまでの間の幅を有する。代替的に、容器は、２つの別個の斜面が容器の縁部上に形成されるように離間配置された３つの平行な折り線又は切り込み線によって形成される二重斜面を含むことができる。
【００３５】
容器が面取り縁部を含み、且つ、１つ又はそれ以上の積層ブランクから作製される場合、面取り部は、積層ブランク内の２つの平行な折り線又は切り込み線によって形成することができる。折り線又は切り込み線は、第１の壁と第２の壁との間の縁部に対して対称に配置することができる。代替的に、折り線又は切り込み線は、面取り部が容器の第２の壁内よりも容器の第１の壁内に遠くまで到達するように、第１の壁と第２の壁との間の縁部に対して非対称に配置することができる。
代替的には、容器は、例えば、三角形又は六角形のような多角形、半楕円形又は半円形といった、矩形でない横断面を有することができる。
【００３６】
本発明による容器は、例えば、シガレット、シガー又はシガリロのような細長い喫煙物品のためのパックとして、特定の用途を見出す。本発明による容器は、それらの寸法の適切な選択により、異なる数の通常サイズ、特大サイズ、超特大サイズ、スリム、又は超スリムのシガレットのために設計できることが認識されるであろう。代替的に、他の消費財を、容器内に収納することもできる。
【００３７】
本発明による容器は、それらの寸法の適切な選択により、異なる総数の喫煙物品、又は異なる構成の喫煙物品を保持するように設計することができる。例えば、本発明による容器は、それらの寸法の適切な選択により、合計１０乃至３０の喫煙物品を保持するように設計することができる。
【００３８】
喫煙物品は、喫煙物品の総数に応じて、異なる丁合（ｃｏｌｌａｔｉｏｎ）に配置することができる。例えば、喫煙物品は、６、７、８、９又は１０の単一の列に配置することができる。代替的に、喫煙物品は、２又はそれ以上の列に配置することができる。２又はそれ以上の列が、同じ数の喫煙物品を収容することができる。例えば、喫煙物品は、５、６、７、８、９若しくは１０の２列、５若しくは７の３列、又は４、５、若しくは６の４列に配置することができる。代替的に、２又はそれ以上の列が、互いに対して異なる数の喫煙物品を収容する少なくとも２列を含むことができる。例えば、喫煙物品は、５の列と６の列（５−６）、６の列と７の列（６−７）、７の列と８の列（７−８）、５の中央列と６の外側２列（６−５−６）、５の中央列と７の外側２列（７−５−７）、６の中央列と５の外側２列（５−６−５）、６の中央列と７の外側２列（７−６−７）、７の中央列と６の外側２列（６−７−６）、９の中央列と８の外側２列（８−９−８）、又は６の中央列、５の外側１列及び７の外側１列（５−６−７）に配置することができる。
【００３９】
本発明による容器は、同じ種類若しくはブランド、又は異なる種類若しくはブランドの喫煙物品を保持することができる。さらに、フィルタなしの喫煙物品及び種々のフィルタチップ付きの喫煙物品の両方、並びに異なる長さ（例えば、約４０ｍｍから約１８０ｍｍまでの間）、直径（例えば、約４ｍｍから約９ｍｍまでの間）の喫煙物品を収容することができる。さらに、喫煙物品は、風味の強度、吸い込み抵抗、及び総粒子状物質送出量において異なり得る。容器の寸法は、喫煙物品の長さ及び喫煙物品の丁合に適合されることが好ましい。典型的には、容器の外形寸法は、容器の内側に収容された喫煙物質の１つ又は複数の束の寸法よりも約０．５ｍｍ乃至約５ｍｍだけ大きい。
【００４０】
本発明による容器の長さ、幅及び深さは、蓋が閉じた位置において、結果として得られる容器の全体的な寸法が、２０本のシガレット用の典型的な使い捨てヒンジ蓋パックの寸法と同様になるようにすることができる。
【００４１】
本発明による容器は、好ましくは約６０ｍｍから約１５０ｍｍまでの間の高さ、より好ましくは約７０ｍｍから約１２５ｍｍまでの間の高さを有し、この高さは、容器の底壁から上壁まで測定される。
【００４２】
本発明による容器は、好ましくは約１２ｍｍから約１５０ｍｍまでの間の幅、より好ましくは約７０ｍｍから約１２５ｍｍまでの間の幅を有し、この幅は、容器の一方の側壁から他方の側壁まで測定される。
【００４３】
本発明による容器は、好ましくは約６ｍｍから約１５０ｍｍまでの間の深さ、より好ましくは約１２ｍｍから約２５ｍｍまでの間の深さを有し、この深さは、容器の前壁から後壁まで測定される。
【００４４】
容器の深さに対する容器の高さの比は、好ましくは約０．３対１から約１０対１までの間、より好ましくは約２対１から約８対１までの間、最も好ましくは約３対１から約５対１までの間である。
【００４５】
容器の深さに対する容器の幅の比は、好ましくは約０．３対１から約１０対１までの間、より好ましくは約２対１から約８対１までの間、最も好ましくは約２対１から約３対１までの間である。
【００４６】
本発明による容器の内面若しくは外面、又は容器の内面及び外面の両方は、製造者又はブランド・ロゴ、商標、標語、並びに他の消費者情報及び印を用いて印刷、エンボス加工、デボス加工、又は他の方法で装飾することができる。
【００４７】
本発明による容器内の消費財は、個々に包むことができる。これは、ひとたび本発明による容器が開けられて第１の消費財が取り出されると、消費財の残りが依然として包まれており、ほこり、日光又は他の環境の影響から保護されたままになるという利点を有する。
【００４８】
ひとたび充填されると、本発明による容器は、例えば、高密度又は低密度ポリエチレン、ポリプロピレン、配向ポリプロピレン、ポリ塩化ビニリデン、セルロースフィルム、又はこれらの組み合わせなどの透明ポリマー・フィルムにより、従来の方法で収縮包装すること又は他の方法で包装することができる。本発明による容器が包装される場合、外側包装材は、１つ又はそれ以上の開封テープを含むことができる。さらに、外側包装紙には、画像、消費者情報、又は他のデータを印刷することができる。
【００４９】
本発明は、単なる例として、添付図面を参照してさらに説明される。
【図面の簡単な説明】
【００５０】
【図１】閉位置における、本発明によるスライド及びシェル型容器の斜視図を示す。
【図２】開位置における、図１のスライド及びシェル型容器の斜視図を示す。
【発明を実施するための形態】
【００５１】
図１及び図２に示される容器２は、矩形の平行六面体であり、外側シェル４と、外側シェル４内に取り付けられた内側スライド６とを含む。
内側スライド６は、箱１０と、容器２の後壁に沿って実質的に水平方向に延びるヒンジ線に沿って箱１０にヒンジ留めされたヒンジ蓋２０とを含む。シガレットの束（図示せず）は、内側スライド６の箱１０内に収納される。
【００５２】
箱１０は、箱の前壁１２、箱の左側壁１４、箱の右側壁、箱の後壁、及び箱の底壁を有する。箱１０の上側が開いて、シガレットを取り出すことができる上方開口部を提供する。
【００５３】
「前部」、「後部」、「上方」、「下方」、「側部」、「上部」、「底部」、並びに本発明による容器２の構成部品の相対位置を記述するのに用いられる他の用語は、上端部に蓋２０、後部にヒンジを有する、直立位置にある容器に言及するものである。「左」及び「右」という用語は、容器２をその直立位置において前部から見たときに容器の側壁に関して用いられる。直立位置にある容器が開いているとき、箱１０内に収納されたシガレットを、容器２の上端部から取り出すことができる。
【００５４】
蓋２０は、蓋の前壁２２、蓋の左側壁２４、蓋の右側壁、蓋の後壁、及び蓋の上壁２６を有する。容器２が閉じているとき、蓋２０の壁の自由縁部は、当接線に沿って箱１０の壁の自由縁部に当接する。従って、閉位置において、蓋２０の壁は、箱１０の対応する壁の延長部を形成して、容器２の壁を定める。
【００５５】
最初に開封する前、容器２は、従来の方法で、透明フィルムで形成された外側包装材（図示せず）内に包まれている。
【００５６】
外側シェル４は、前壁３０、後壁、右側壁、左側壁３２、及び底壁を含む。外側シェル４の上端が開いて、内側スライド６の開放スライド位置への移動を可能にする。外側シェル４の底壁は、喫煙物品にアクセスするために、そこを通して内側スライド６を外部シェルから上向きに押すことができる、中央切り抜き部を含む。図１は、閉位置において、内側スライド６が完全に外側シェル４の内にある状態の容器２を示し、図２は、内側スライド６が外側シェル４の上部から突出し、ヒンジ蓋２０は開位置にある状態の、開位置にある容器２を示す。
【００５７】
箱の前壁１２の外面上に、印刷されたモアレ・パターンを含むデザイン要素５０が設けられる。外側シェルの前壁３０の上端部に、約０．５ｍｍの最小切断幅を有する複数の切り抜き部６２で形成されたパターンを含む、微細切断要素６０が設けられる。図４に示される容器の閉位置においては、微細切断要素６０は、デザイン要素５０の上に重ならず、デザイン要素５０は、切り抜き部を含まない外側シェルの前壁３０の一部により覆われる。図２に示される開位置においては、微細切断要素６０は、デザイン要素５０の上に重なるので、デザイン要素の部分が微細切断要素の切り抜き部を通して見えるようになる。
【００５８】
内側スライド６が、外側シェル４から、図２に示される開位置に向かって移動されると、微細切断要素６０は、デザイン要素５０の印刷パターン上に移動し、微細切断要素とモアレ・パターンとの干渉の結果、モアレ・パターン効果が生成される。光学的効果は、内側スライド６が開位置に向かってさらに移動されるにつれて、変化する。
【符号の説明】
【００５９】
２：容器
４：外側シェル
６：内側スライド
１０：箱
１２：箱の前壁
１４：箱の左側壁
２０：ヒンジ蓋
２２：蓋の前壁
２４：蓋の左側壁
３０：外側シェルの前壁
３２：外側シェルの左側壁
５０：デザイン要素
６０：微細切断要素
６２：切り抜き部
【図１】
0005986580.tif 000002
【図２】
0005986580.tif 000003